(57)【要約】画像データに対して再生時に実寸大で表示させる実寸値データを予め付与し、画像表示手段の表示画面に前記画像データを実寸大で再生させる場合には、前記表示画面の大きさに対応して予め設定されている再生表示サイズ値データと前記実寸値データに基づいて前記画像データを実寸大の画像をもって再生表示させるように演算して実寸大表示画像データを求め、当該実寸大表示画像データをもって前記表示画面に再生表示させる。
2003003299.tif 000002
【特許請求の範囲】
【請求項１】
画像データに対して再生時に実寸大で表示させる実寸値データを予め付与し、画像表示手段の表示画面に前記画像データを実寸大で再生させる場合には、前記表示画面の大きさに対応して予め設定されている再生表示サイズ値データと前記実寸値データに基づいて前記画像データを実寸大の画像をもって再生表示させるように演算して実寸大表示画像データを求め、当該実寸大表示画像データをもって前記表示画面に再生表示させることを特徴とする画像データの実寸再生表示方法。
【請求項２】
画像データに対して再生時に実寸大で表示させる実寸値データを付与する実寸値データ付与手段と、
前記実寸値データが付与された前記画像データを受領して表示画面に再生表示させる画像表示手段とを有し、
前記画像表示手段は前記表示画面の大きさに対応して予め設定されている再生表示サイズ値データと前記実寸値データに基づいて前記画像データを実寸大の画像をもって再生表示させるように演算して実寸大表示画像データを求める演算手段と、当該実寸大表示画像データをもって前記表示画面に再生表示させる再生表示指令手段とを備えている
ことを特徴とする画像データの実寸再生表示システム。
【請求項３】
画像データに対して再生時に実寸大で表示させる実寸値データを付与する実寸値データ付与手段と、
画像データを再生表示する表示画面の大きさに対応して予め設定されている再生表示サイズ値データと前記実寸値データに基づいて前記画像データを実寸大の画像をもって再生表示させるように演算して実寸大表示画像データを求める演算手段と、
前記実寸大表示画像データを受領して表示画面に再生表示させる画像表示手投であって、当該実寸大表示画像データをもって前記表示画面に再生表示させる再生表示指令手段を備えている画像表示手段とを有する
ことを特徴とする画像データの実寸再生表示システム。
【発明の詳細な説明】
技  術  分  野
本発明は、画像データに基づいて画像を再生する場合に、再生対象を実寸大をもって再生させる画像データの実寸再生表示方法および画像データの実寸再生表示システムに関する。
背  景  技  術
近年のマルチメディアの発展に伴って、例えば多種多量の商品の販売を行う場合に、実際の商品を提示することに代えて、当該商品を画像をもって提示して、購入者に選択してもらうような、バーチャル画像提示方法が盛んに行われている。更に、画像をインターネットやＬＡＮ等の伝達媒体を通して遠隔地に送って商品提示を行うことも実現されている。
ところが、この画像を利用したバーチャル画像提示方法においては、商品等の再生対象物を実物大で再生するものではなかった。例えば、商品の画像を作成する際に、商品の全体を撮像フレーム内に納めるようにして作成された画像データを、画像表示手投の表示画面に再生する場合には、前記撮像フレーム内に納められた画像の全体を表示画面全体に表示するようにして再生されている。また、再生対象物の大きさを伝えるために、大きさの判明している比較対象物や長さ表示を同時に再生するようにしていた。
このように、従来においては、再生画像そのものを再生対象物の実寸大をもって再生させることは全く行われていなかった。
そのために、従来のバーチャル画像提示方法においては、再生画像から商品等の再生対象物の実寸大を正確に把握することができず、概して縮小表示されることが多いので、商品等の再生対象物の実際の大きさや、実際の大きさに基づく特徴、質感、重量感等を正確に把握することができなかった。
本発明はこれらの点に鑑みてなされたものであり、画像データに基づいて画像を再生する場合に、再生対象を実寸大をもって再生させることができ、再生対象の実際の大きさや、実際の大きさに基づく特徴、図柄、質感、重量感等を正確に表示させることができ、再生対象のより本物に近いイメージ表現や本質的な使用感を理解してもらうことのできる画像データの実寸再生表示方法および画像データの実寸再生表示システムを提供することを目的とする。
発  明  の  開  示
前記目的を達成するために、本発明の画像データの実寸再生表示方法は、画像データに対して再生時に実寸大で表示させる実寸値データを予め付与し、画像表示手段の表示画面に前記画像データを実寸大で再生させる場合には、前記表示画面の大きさに対応して予め設定されている再生表示サイズ値データと前記実寸値データに基づいて前記画像データを実寸大の画像をもって再生表示させるように演算して実寸大表示画像データを求め、当該実寸大表示画像データをもって前記表示画面に再生表示させることを特徴とする。
また、本発明の画像データの実寸再生表示システムは、画像データに対して再生時に実寸大で表示させる実寸値データを付与する実寸値データ付与手段と、前記実寸値データが付与された前記画像データを受領して表示画面に再生表示させる画像表示手段とを有し、前記画像表示手段は前記表示画面の大きさに対応して予め設定されている再生表示サイズ値データと前記実寸値データに基づいて前記画像データを実寸大の画像をもって再生表示させるように演算して実寸大表示画像データを求める演算手段と、当該実寸大表示画像データをもって前記表示画面に再生表示させる再生表示指令手段とを備えていることを特徴とする。
更に、本発明の他の画像データの実寸再生表示システムは、画像データに対して再生時に実寸大で表示させる実寸値データを付与する実寸値データ付与手段と、画像データを再生表示する表示画面の大きさに対応して予め設定されている再生表示サイズ値データと前記実寸値データに基づいて前記画像データを実寸大の画像をもって再生表示させるように演算して実寸大表示画像データを求める演算手段と、前記実寸大表示画像データを受領して表示画面に再生表示させる画像表示手段であって、当該実寸大表示画像データをもって前記表示画面に再生表示させる再生表示指令手段を備えている画像表示手段とを有することを特徴とする。
本発明の画像データの実寸再生表示システムを本発明の画像データの実寸再生表示方法によって作動させることにより、画像データに基づいて画像を再生する場合に、再生対象を実寸大をもって再生させることができる。
具体的には、実寸値データ付与手段により画像データに対して再生時に実寸大で表示させる実寸値データを予め付与し、画像表示手段が前記実寸値データが付与された前記画像データを受領して表示画面に再生表示させる場合に、演算手段が前記表示画面の大きさに対応して予め設定されている再生表示サイズ値データと前記実寸値データに基づいて前記画像データを実寸大の画像をもって再生表示させるように演算して実寸大表示画像データを求め、再生表示指令手段が前記実寸大表示画像データをもって前記表示画面に再生表示させることにより再生対象を実寸大をもって再生させることができる。
更に本発明の他の画像データの実寸再生表示システムによれば、実寸値データ付与手段により画像データに対して再生時に実寸大で表示させる実寸値データを予め付与し、次に、演算手段が前記表示画面の大きさに対応して予め設定されている再生表示サイズ値データと前記実寸値データに基づいて前記画像データを実寸大の画像をもって再生表示させるように演算して実寸大表示画像データを求め、次に、画像表示手段が前記実寸大表示画像データを受領し、再生表示指令手段が前記実寸大表示画像データをもって前記表示画面に再生表示させることにより再生対象を実寸大をもって再生させることができる。
これにより本発明においては、再生対象の実際の大きさや、実際の大きさに基づく特徴、図柄、質感、重量感等を正確に表示させることができ、再生対象のより本物に近いイメージ表現や本質的な使用感を理解してもらうことができる。
発明を実施するための最良の形態
以下、本発明の実施形態を図１および図２について説明する。
図１は本発明の画像データの実寸再生表示システムの１実施形態を示している。
図１において符号１は画像データに対して再生時に実寸大で表示させる実寸値データを付与する実寸値データ付与手段である。実寸値データの付与の方法は、画像データに対して実寸大を重ねて付与できるものであればどのような方法であってもよい。例えば、図２（ａ）に示すように、煉瓦Ａの画像データＧ１対して１辺の長さをテーブルで付与したり、画像データＧ１に図２（ｂ）に示すような実寸のメモリのメッシュＭからなる実寸値データＧ２を重ねるようにしてもよい。
このようにして実寸値データＧ２を付与された画像データＧ１は画像表示手段としての受像機・映写機２に対して、無線通信、有線通信、インターネット、ＬＡＮ等を介して送信されたり、ビデオテープ、ＤＶＤ、ＣＤ、ＣＤ−ＲＯＭ、ＨＤ等のデジイタル信号記録媒体をもって直接提供するようにされる。
この映写機２は受領した実寸値データＧ２が付与された画像データＧ１を再生表示させる表示画面３を有している。更に、映写機２は表示画面３の大きさに対応して実寸画像を表示するために、表示画面３の大きさに応じて予め設定されている再生表示サイズ値データと実寸値データＧ２に基づいて画像データＧ１を実寸大の画像をもって再生表示させるように演算して実寸大表示画像データを求めるＣＰＵ等の演算手段４と、演算された実寸大表示画像データをもって表示画面３に再生表示させる再生表示指令手段５とを備えている。また、映写機２には画像を実寸表示させることを選択する選択スイッチを設けるとよい。
次ぎに、本発明の画像データの実寸再生表示方法に従って映写機２による画像再生を説明する。
まず、実寸値データ付与手段１により画像データＧ１に対して再生時に実寸大で表示させる実寸値データＧ２を例えば図２に示すようにして付与する。
次ぎに、映写機２の選択スイッチをＯＮさせて画像を実寸大表示させるモードに指定する。
これにより、映写機２は実寸値データＧ２が付与された画像データＧ１を受領すると、同データＧ１、Ｇ２を読みとり、続いて演算手段４が表示画面３の大きさに対応して予め設定されている再生表示サイズ値データと実寸値データＧ２に基づいて画像データＧ１を実寸大の画像をもって再生表示させるように演算して実寸大表示画像データを求める。具体的には、表示画面３の実際の大きさに対して、実寸値データＧ２の実寸の長さを同一にして再生できるように画像データＧ１に対する拡大率を解析演算し、その拡大率をもって画像データＧ１を拡大して実寸大表示画像データを求める。
このようにして求められた実寸大表示画像データを再生表示指令手段５が表示画面３に表示可能なデータに変換して表示画面３に送って再生表示させる。この再生表示された画像は再生対象を実寸大をもって再生させたものとなる。再生対象物が表示画面３より大きい場合には、表示対象物の１部を実寸大表示させ、スクロールしてその他の部分の実寸大表示を見るようにする。
また、前記演算手段４を実寸値データ付与手段１側に設けて、映写機２に備えられている表示画面３の大きさに応じて、実寸値データ付与手段１側において、表示画面３の大きさに応じて予め設定されている再生表示サイズ値データと実寸値データＧ２に基づいて画像データＧ１を実寸大の画像をもって再生表示させるように演算して実寸大表示画像データを求め、その算出した実寸大表示画像データを映写機２側に出力するようにしてもよい。これにより映写機２においては、受領した実寸大表示画像データを再生表示指令手段５によって表示画面３に実寸大で再生表示させことができる。これにより映写機２側においては、演算手段４による複雑な演算処理が不要となり、単に受領した実寸大表示画像データを再生するだけになり、操作性や構成が簡単となる。
このように本実施形態によれば、再生対象の実際の大きさや、実際の大きさに基づく特徴、図柄、質感、重量感等を正確に表示させることができ、更に、再生対象のより本物に近いイメージ表現や本質的な使用感を理解してもらうことができる。
更に説明すれば、画像情報の大きな要素である再生対象物の大きさを実寸大で表示することにより、バーチャルであっても再生対象物の現物を見ているのと同じような体験をすることができる。そして、実寸大表示は再生対象物に関する情報を正確に伝えることができるので、情報を理解するための知識や経験を必要とせず、誰でも体感的、直感的に再生対象物を理解をすることができる。
本発明のシステムを教育の現場に利用して、実寸大画像による再生対象物を再生して教育を行うと、実際の再生対象物を正確に把握して理解することができるために、大きな効果を期待することができる。
更に、本発明のシステムを商品紹介に利用すれば、二次的な説明は最小限ですむので、説明から生じる誤解、誇張、不理解も少なくなり、取引時のトラブルを減少させることもできる。更に、実寸大表示の画像の情報受信者は情報理解の負担が少ないので、情報受信者は残された想像力で次の段階にイメージを拡大することができ、イメージは右脳に記憶され、販売促進における強力な販売動機付けとなる。更に、テレビやインターネットを利用した通信販売などにおいて、理解が難しかった再生対象物のサイズや質感、図柄の問題も解決でき、安心、信頼できる通信販売システムを構築できる。
なお、本発明は前記実施の形態に限定されるものではなく、必要に応じて変更することができる。
【図面の簡単な説明】
図１は本発明の画像データの実寸再生表示システムの１実施形態を示すブロック図、
図２は、（ａ）は画像データの１例を示す線図、（ｂ）は実寸値データの１例を示す線図である。
【図１】
2003003299.tif 000003
【図２】
2003003299.tif 000004
【国際調査報告】
2003003299.tif 000005
2003003299.tif 000006
2003003299.tif 000007